(57)【特許請求の範囲】
【請求項１】
流入口、複数個の流出口、及び排出口が設けられた弁本体と、
前記流入口から前記弁本体内に流入した流体を前記複数個の流出口から選択的に流出させるための第１弁体と、
該第１弁体を開閉駆動するための第１弁体駆動手段と、
前記流入口から前記弁本体内に流入した流体を前記排出口から排出させるための第２弁体と、
該第２弁体を開閉操作するための第２弁体操作手段と、を備え、
前記第１弁体として、ロータリー型のものが用いられるとともに、前記第１弁体駆動手段として、モーターが用いられていることを特徴とする複合弁。
【請求項２】
前記第２弁体として、前記排出口に接離する方向に直線的に進退せしめられるリフト型のものが用いられていることを特徴とする請求項１に記載の複合弁。
【請求項３】
前記第２弁体操作手段は、前記第２弁体を前記排出口に接離する方向に進退させるべく、前記接離方向に沿って回されるてこの原理を利用した手動操作レバーを含んで構成されていることを特徴とする請求項２に記載の複合弁。
【請求項４】
前記第２弁体操作手段は、前記第２弁体を前記排出口に接離する方向に進退させるべく、前記弁本体に螺合せしめられてねじ送りされるねじ付き手動操作ハンドルを含んで構成されていることを特徴とする請求項２に記載の複合弁。
【請求項５】
前記排出口が前記第２弁体により閉じられているとき、前記流入口から弁本体内に流入した流体は前記第２弁体部分を通って前記流出口に向かうようにされていることを特徴とする請求項２から４のいずれか一項に記載の複合弁。
【請求項６】
前記第２弁体として、前記弁本体に摺動回転可能に嵌挿されるロータリー型のものが用いられていることを特徴とする請求項１に記載の複合弁。
【請求項７】
前記第２弁体操作手段は、前記第２弁体を同一平面内で回動させるための手動操作ハンドルを含んで構成されていることを特徴とする請求項６に記載の複合弁。
【請求項８】
前記排出口が前記第２弁体により閉じられているとき、前記流入口から弁本体内に流入した流体は前記第２弁体部分を通ることなく前記流出口に向かうようにされていることを特徴とする請求項６又は７に記載の複合弁。
【請求項９】
前記第１弁体として、前記第１弁体と第２弁体は、有底円筒状とされ、それら両者が相互に対向するように、縦長筒状とされた前記弁本体の両端部に設けられた嵌挿部にそれぞれ摺動回転可能に嵌挿されていることを特徴とする請求項６から８のいずれか一項に記載の複合弁。
【請求項１０】
ヒートポンプ、該ヒートポンプにより加熱された湯を貯める貯湯タンク、及び前記ヒートポンプと貯湯タンクとの間で湯水を循環させるポンプを備え、前記ヒートポンプにより加熱された湯を前記貯湯タンクに送る流路に請求項１から９のいずれか一項に記載の複合弁が配備され、前記複合弁の複数の流出口が前記貯湯タンクの供給口に接続され、前記複合弁の排出口が外部の排水口に接続されていることを特徴とする給湯装置。
【発明の詳細な説明】
【技術分野】
【０００１】
本発明は、二種類の弁体を備えた複合弁並びにそれを備えた給湯装置に関する。
【背景技術】
【０００２】
図７に従来の給湯装置の一例の主要部を示す（下記特許文献１も参照）。この給湯装置２００は、基本的には、ヒートポンプ２１０、このヒートポンプ２１０により加熱された湯を貯める貯湯タンク２２０、及びヒートポンプ２１０と貯湯タンク２２０との間で湯水を循環させるためのポンプ２３０を備えている。
【０００３】
より詳細には、貯湯タンク２２０の底部とヒートポンプ２１０とを結ぶ流路２６０、２６１における貯湯タンク２２０とポンプ２３０との間には、手動操作される排水用三方弁２４０が配備されている。通常は、この排水用三方弁２４０が手動操作されて流路２６０と２６１とが接続され、これにより、貯湯タンク２２０内の湯水が排水用三方弁２４０→ポンプ２３０→ヒートポンプ２１０へと送られて、ヒートポンプ２１０内で加熱される。それに対し、貯湯タンク２２０内の水を抜く必要があるとき（非常時、メンテナンス時等）には、排水用三方弁２４０が手動操作されて流路２６０と２６２とが接続され、これにより、貯湯タンク２２０内の湯水が排水用三方弁２４０を介して外部の排水口に排出される。
【０００４】
また、ヒートポンプ２１０により加熱された湯を貯湯タンク２２０に送る流路２７０、２７１、２７２には、温度センサにより検出された湯水の温度等に基づいて制御部によりその動作が制御される例えば電子制御式電動弁からなる沸き上げ三方弁２５０が配備されている。ヒートポンプ２１０により加熱された湯を貯湯タンク２２０の上部に送る場合（湯が高温の場合）は、沸き上げ三方弁２５０により流路２７０と２７１を接続し、貯湯タンク２２０の下部に送る場合（湯水が低温の場合）は、沸き上げ三方弁２５０により流路２７０と２７２を接続するようにされる。
【先行技術文献】
【特許文献】
【０００５】
【特許文献１】特開２０１１−１５８１５９号公報
【発明の概要】
【発明が解決しようとする課題】
【０００６】
前記した如くの従来の給湯装置では、沸き上げ三方弁２５０と排水用三方弁２４０とが必要で、それらが別々に配備されているので、部品コスト、配管コストが高くなる嫌いがあり、また、大きな占有スペースが必要となるという問題があった。
【０００７】
本発明は、上記課題に鑑みてなされたもので、その目的とするところは、二種類の三方弁を一纏めにして、給湯装置等において部品コスト、配管コスト、占有スペース等を削減できるようにされた複合弁及びそれを備えた給湯装置を提供することにある。
【課題を解決するための手段】
【０００８】
前記目的を達成すべく、本発明に係る複合弁は、基本的には、流入口、複数個の流出口、及び排出口が設けられた弁本体と、前記流入口から前記弁本体内に流入した流体を前記複数個の流出口から選択的に流出させるための第１弁体と、該第１弁体を開閉駆動するための第１弁体駆動手段と、前記流入口から前記弁本体内に流入した流体を前記排出口から排出させるための第２弁体と、該第２弁体を開閉操作するための第２弁体操作手段と、を備え、前記第１弁体として、ロータリー型のものが用いられるとともに、前記第１弁体駆動手段として、モーターが用いられていることを特徴とする。
【０００９】
前記第２弁体として、好ましくは、前記排出口に接離する方向に直線的に進退せしめられるリフト型のものが用いられる。
【００１０】
前記第２弁体操作手段は、好ましくは、前記第２弁体を前記排出口に接離する方向に進退させるべく、前記接離方向に沿って回されるてこの原理を利用した手動操作レバーを含んで構成される。
【００１１】
前記第２弁体操作手段は、好ましくは、前記第２弁体を前記排出口に接離する方向に進退させるべく、前記弁本体に螺合せしめられてねじ送りされるねじ付き手動操作ハンドルを含んで構成される。
【００１２】
好ましい態様では、前記排出口が前記第２弁体により閉じられているとき、前記流入口から弁本体内に流入した流体は前記第２弁体部分を通って前記流出口に向かうようにされる。
【００１３】
他の好ましい態様では、前記第２弁体として、前記弁本体に摺動回転可能に嵌挿されるロータリー型のものが用いられる。
【００１４】
前記第２弁体操作手段は、好ましくは、前記第２弁体を同一平面内で回動させるための手動操作ハンドルを含んで構成される。
【００１５】
好ましい態様では、前記排出口が前記第２弁体により閉じられているとき、前記流入口から弁本体内に流入した流体は前記第２弁体部分を通ることなく前記流出口に向かうようにされる。
【００１７】
他の好ましい態様では、前記第１弁体として、ロータリー型のものが用いられるとともに、前記第１弁体駆動手段として、モーターが用いられ、前記第１弁体と第２弁体は、有底円筒状とされ、それら両者が相互に対向するように、縦長筒状とされた前記弁本体の両端部に設けられた嵌挿部にそれぞれ摺動回転可能に嵌挿される。
【００１８】
本発明に係る給湯装置は、ヒートポンプ、該ヒートポンプにより加熱された湯を貯める貯湯タンク、及び前記ヒートポンプと貯湯タンクとの間で湯水を循環させるポンプを備え、前記ヒートポンプにより加熱された湯を前記貯湯タンクに送る流路に上記した複合弁が配備され、前記複合弁の複数の流出口が前記貯湯タンクの供給口に接続され、前記複合弁の排出口が外部の排水口に接続されていることを特徴としている。
【発明の効果】
【００２０】
本発明に係る複合弁は、主として第１弁体部分が従来の給湯装置における沸き上げ三方弁として機能し、主として第２弁体部分が排水用三方弁２として機能する。この場合、二種類の三方弁（沸き上げ三方弁と排水用三方弁）が一纏めにされているので、給湯装置等において部品コスト、配管コスト、占有スペース等を削減できる効果を奏する。
【００２１】
また、本発明に係る給湯装置は、ヒートポンプにより加熱された湯を貯湯タンクに送る流路に、ヒートポンプ内の湯水を外部に排出するための排出手段が設けられているので、上述のような複合弁を採用するだけで沸き上げ三方弁と排水用三方弁の機能を達成することができ、当該給湯装置の構造が簡略されると共に、部品コスト、配管コスト、占有スペース等を削減できる効果を奏する。
【図面の簡単な説明】
【００２２】
【図１】本発明に係る複合弁の第１実施例を示す部分切欠断面図であり、（Ａ）は第２弁体：閉時、（Ｂ）は第２弁体：開時。
【図２】第１実施例の第２弁体操作手段を示し、（Ａ）は図１（Ａ）のＣ矢視線に従う拡大図、（Ｂ）は斜視図。
【図３】本発明に係る複合弁の第２実施例を示し、（Ａ）は正面図、（Ｂ）は（Ａ）のＸ-Ｘ矢視断面図。
【図４】第２実施例の斜視図。
【図５】本発明に係る複合弁に使用可能な他の手動操作弁を示し、（Ａ）は弁体操作手段として手動操作レバーが用いられているもの、（Ｂ）は弁体操作手段としてねじ付き手動操作ハンドルが用いられているもの。
【図６】本発明に係る複合弁が用いられた給湯装置の一例を示す概略構成図。
【図７】従来の給湯装置の一例を示す概略構成図。
【発明を実施するための形態】
【００２３】
以下、本発明の実施形態を図面を参照しながら説明する。
図１は、本発明に係る複合弁の第１実施例を示す部分切欠断面図であり、（Ａ）は第２弁体：閉時、（Ｂ）は第２弁体：開時を示す。図２は、第１実施例の第２弁体操作手段を示し、（Ａ）は図１（Ａ）のＣ矢視線に従う拡大図、（Ｂ）は斜視図である。
【００２４】
図示の複合弁１は、基本的には、概略円筒状の弁本体１０を有し、この弁本体１０の下部に流入口１１が設けられるとともに、その上部には第１流出口１２と第２流出口１３とが１８０度の角度間隔をあけて対向するように設けられ、流入口１１の直ぐ上には、第２流出口１３と同じ向きに排出口１４が設けられている。
【００２５】
第２流出口１３と排出口１４とは、組立て上の便宜等を図るため弁本体１０とは別体に作製されて溶着等により後付けされている。
【００２６】
弁本体１０における第１流出口１２と第２流出口１３が設けられている部分には、流入口１１から弁本体１０内に流入した流体を流出口１２、１３から選択的に流出させるためのロータリー型をとる概略球状の第１弁体２０が摺動回転可能に配備されている。
【００２７】
第１弁体２０には、逆Ｌ形の通路２２が設けられており、この通路２２の横向き開口２２ａが第１流出口１２に向き合う位置まで回転せしめられると、流入口１１からの流体（湯）が第１流出口１２側に流れ、通路２２の横向き開口２２ａが第２流出口１３に向き合う位置まで回転せしめられると、流入口１１からの流体（湯）が第２流出口１３側に流れるようになっている。
【００２８】
弁本体１０の最上部には、第１弁体２０を開閉駆動（回動）させるための第１弁体駆動手段としてのステッピングモータ５０が配備されている。
【００２９】
より詳細には、弁本体１０の最上部には、中央部に軸受穴１６が形成された上側受座１５を有し、この上側受座１５上に取付具等を介してステッピングモータ５０がボルトナット類で取り付けられている。ステッピングモータ５０の回転は、前記軸受穴１６に摺動回転自在に通された回転軸２５により伝えられる。
【００３０】
一方、弁本体１０における排出口１４が設けられている部分には、流入口１１から弁本体１０内に流入した流体を排出口１４から排出させるための第２弁体３０と、この第２弁体３０を開閉操作するための第２弁体操作手段が設けられている。
【００３１】
第２弁体３０は、排出口１４（の開口端縁部＝弁座１４ａ）に接離する方向（ここでは横方向）に直線的に進退せしめられるリフト型のもので、軸部３１とこの軸部３１の下部（先端側）に外嵌固定された硬質ゴム等からなる弁体部３２とで構成されている。軸部３１は、その中心軸線Ｃ１が排出口１４の中心線と一致するように配在され、その上部（後端側）は弁本体１０に設けられた案内孔３４に摺動自在に嵌挿され、かつ、その上端部は弁本体１０の外側に突出せしめられている。案内孔３４の上端部３４ａは、弁本体１０の外周面からわずかに外方に突出せしめられている。
【００３２】
また、第２弁体３０の弁体部３２と弁本体１０の内周面との間には、常時第２弁体３０を閉方向に付勢する圧縮コイルばねからなる閉弁ばね３８が縮装されている。
【００３３】
前記第２弁体操作手段は、第２弁体３０を排出口１４（の開口端縁部１４ａ）に接離する方向に進退させるべく、接離方向に沿って揺動せしめられる、てこの原理を利用した手動操作レバー３５を含んで構成されている。
【００３４】
より詳細には、手動操作レバー３５は、板金製で、略平らな把手部３５ａ、この把手部３５ａから立ち下がる立ち下がり部３５ｂ、この立ち下がり部３５ｂから約９０度折り曲がる、二股状の底辺部３５ｃ、この二股状の底辺部３５ｃに連なる曲面部３５ｄ、この曲面部３５ｄから前記立ち下がり部３５ｂと平行に立ち上がる立ち上がり部３５ｅ、及び底辺部３５ｃの両端から立ち上がる左右一対のピン支持部３５ｆを有し、ピン支持部３５ｆには、第２弁体３０の上部に十字を呈するように挿着されたピン３６が摺動回転可能に嵌挿されている。
【００３５】
また、弁本体１０の外周部には、左右一対の案内立上部３７が設けられており、この案内立上部３７には、前記ピン３６の両端部が摺動自在に挿入され、該ピン３６及び第２弁体を前記接離方向（横方向）に案内するための案内溝３７ａが形成されている。
【００３６】
前記二股状の底辺部３５ｃには軸部３１の上部が通されており、また、底辺部３５ｃは、第２弁体３０が排出口１４を閉じているときには、閉弁ばね３８の付勢力により案内孔３４の上端部３４ａに圧接せしめられている。また、ピン３６から底辺部３５ｃまでの距離よりピン３６から立ち上がり部３５ｅの距離の方が長くされ、かつ、ピン３６から把手部３５ａの先端までは、ピン３６から立ち上がり部３５ｅまでの距離より長くされている（てこの原理を利用するため）。
【００３７】
このような構成の第２弁体操作手段では、第２弁体３０が排出口１４を閉じている図１（Ａ）に示される状態から、第２弁体３０を排出口１４（の開口端縁部１４ａ）から引き離して排出口１４を開くには、手動操作レバー３５の把手部３５ａ持って、該手動操作レバー３５を図１（Ｂ）に示される如くに、第２弁体接離方向（横方向）に約９０度回すようにされる。これにより、把手部３５ａが力点、ピン３６が支点となり、作用点が底辺部３５ｃ→曲面部３５ｄ→立ち上がり部３５ｅに移行し、ピン３６から底辺部３５ｃまでの距離よりピン３６から立ち上がり部３５ｅまでの距離の方が長くされているので、それらの概略差分だけ軸部３１が引き上げられ、弁体部３２が排出口１４（の開口端縁部１４ａ）から離れて、図１（Ｂ）に示される如くに、排出口１４が開かれる。
【００３８】
このように、本実施例の複合弁１では、主として第１弁体２０部分が前述した図７に示される従来の給湯装置２００における沸き上げ三方弁２５０として機能し、主として第２弁体３０部分が排水用三方弁２４０として機能する。
【００３９】
したがって、図６（図７の従来例に対応する部分には同一の符号が付されている）に示される如くに、上記複合弁１が適用された本発明に係る給湯装置１００では、ヒートポンプ２１０により加熱された湯を貯湯タンク２２０に送る流路２７０を複合弁１の流入口１１に接続し、複合弁１の第１流出口１２を流路２７１に接続し、第２流出口１３を流路２７２に接続し、複合弁１の排出口１４を流路２８０で外部の排水口に接続することにより、従来の給湯装置２００と略同様な機能を持たせることができる。
【００４０】
なお、図７に示された従来の給湯装置２００では、排水用三方弁２４０を用いて貯湯タンク２２０内の湯水を排出するのに対し、図６に示された本発明の給湯装置１００では、ヒートポンプ２１０から流出した湯水を複合弁１の排出口１４より排出するようにされており、両装置ではそれぞれ湯水排出の取出し口が異なる。しかし、ヒートポンプ２１０及び貯湯タンク２２０は互いに接続され、その内部を湯水が循環するヒートポンプサイクルが構成されているから、当該ヒートポンプサイクルから（汚れた）湯水を排出するということに変わりはなく、本発明の給湯装置１００においても従来の給湯装置２００と同様の湯水排出効果を奏することができる。
【００４１】
また、給湯装置１００の場合、二種類の三方弁（沸き上げ三方弁２５０と排水用三方弁２４０）が一纏めにされているので、給湯装置等において部品コスト、配管コスト、占有スペース等を削減できる効果を奏する。
【００４２】
なお、本発明実施例の給湯装置１００では、貯湯タンク２２０内の湯水をヒートポンプ内を通した後、複合弁１及び流路２８０を介して外部の排水口に排出するようにされているので、省エネルギー化を図るには、排水時にはヒートポンプ２１０を停止させておくことが望ましい。
【００４３】
次に、本発明に係る複合弁の第２実施例を説明する。
図３は、本発明に係る複合弁の第２実施例を示し、（Ａ）は正面図、（Ｂ）は（Ａ）のＸ-Ｘ矢視断面図である。また、図４は、第２実施例の斜視図である。この第２実施例の複合弁２において前述した第１実施例の複合弁１の各部に対応する部分に共通の符号を付して重複説明を省略する。
【００４４】
図示第２実施例の複合弁２では、概略円筒状の弁本体４０を有し、この弁本体４０の上部に第１流出口１２と第２流出口１３とが１８０度の角度間隔をあけて対向するように設けられるとともに、それら第１流出口１２と第２流出口１３との中間部分（双方からの角度間隔が９０度）に流入口１１が設けられ、弁本体４０の下部には流入口１１と１８０度の角度間隔をあけて排出口１４が設けられている。
【００４５】
弁本体４０における第１流出口１２、第２流出口１３、及び流入口１１が設けられている部分には、上部嵌挿部４１が設けられ、この上部嵌挿部４１に、ステッピングモータ５０により回転軸２５を介して回動せしめられるロータリー型をとる有底円筒状の第１弁体６０が摺動自在に嵌挿されている。第１弁体６０には、流入口１１から弁本体４０内に流入した流体を第１流出口１２及び第２流出口１３から選択的に流出させるための開口６２が設けられている。
【００４６】
また、弁本体４０における排出口１４が設けられている部分には、第１弁体６０と同様にロータリー型をとる第２弁体７０が配備されている。この第２弁体７０と第１弁体６０は、この例においては同径及び同長の有底円筒状とされ、それら両者が相互に対向するように、第２弁体７０は、弁本体４０の下部に設けられた下部嵌挿部４２に摺動回転可能に嵌挿されている。
【００４７】
第２弁体７０には、流入口１１から弁本体４０内に流入した流体を排出口１４に流出させるための開口７２が設けられている。
【００４８】
そして、本実施例では、第２弁体７０を同一平面内で回動させるための手動操作ハンドル８０を含んで構成される第２弁体操作手段が設けられている。すなわち、弁本体４０の下端部には下側受座４５が設けられ、この下側受座４５の中央部に回転軸７５が摺動回転自在に嵌挿される軸受穴４６が形成されている。この下側受座４５には、回転軸７５の回転は許容するが、その上下方向の移動は阻止するための平板状のストッパ４８がねじ止めされている。回転軸４５の下部には、一方向に突出した部分を有する手動操作ハンドル８０が固定されている。
【００４９】
したがって、手動操作ハンドル８０を回せば、その回転が回転軸７５を介して第２弁体７０に伝えられ、第２弁体７０の開口部７２が排出口１４に対面する位置まで回されると、流入口１１から弁本体４０内に流入した流体は開口部７２を介して排出口１４に流出する。
【００５０】
なお、前記第１実施例の複合弁１では、排出口１４が第２弁体３０により閉じられているとき、流入口１１から弁本体１０内に流入した流体は第２弁体３０部分を通って流出口１２、１３に向かうようにされているが、本第２実施例の複合弁２では、排出口１４が第２弁体７０により閉じられているとき、流入口１１から弁本体４０内に流入した流体は第２弁体７０部分を通ることなく流出口１２、１３に向かうようにされている。
【００５１】
このような構成とされた第２実施例の複合弁２においても、第１実施例の複合弁１と同様に、給湯装置１００に適用でき、給湯装置等において部品コスト、配管コスト、占有スペース等を削減できる効果を奏する。また、本第２実施例の複合弁２では、第１弁体６０と第２弁体７０や回転軸２５、７５等が同一ないし類似形状に製作されるので、製造コストを削減できるといった効果もある。
【００５２】
次に、他の手動操作弁（三方弁）を図５を参照しながら簡単に説明する。
図５（Ａ）に示される手動操作弁１１０の弁本体１２０には、流入口１１、流出口１２、及び排出口１４が設けられており、軸部１３１と弁体部１３２からなる弁体１３０を、てこの原理を利用した手動操作レバー１４０により上下方向に摺動させて、弁体部１３２を流入口１１と排出口１４との間に設けられた弁座１５１と流入口１１と流出口１２との間に設けられた弁座１５２とに選択的に着座させて流路の切換えを行うようにしたものである。
【００５３】
なお、手動操作レバー１４０は前述した第１実施例のもの（手動操作レバー３５）と類似した構造であり、弁体１３０は圧縮コイルばね１３５により常時上側の弁座１５１に着座する方向に付勢されている。すなわち、図５（Ａ）に示された弁体部１３２が弁座１５１に着座された状態から、手動操作レバー１４０の把手部１４０ａを矢印Ｐ方向に回動し直立させれば、弁体１３０がコイルバネ１３５の弾発力に抗して押圧され、弁体部１３２が弁座１５２に着座する。
【００５４】
図５（Ｂ）に示される手動操作弁１５０は、図５（Ａ）の手動操作レバー１４０に代えて、弁体１３２を上下方向に摺動させるべく、弁本体１２０に上部に設けられた雌ねじ部１２５に螺合せしめられてねじ送りされる雄ねじ部１６１付き手動操作ハンドル１６０を用いたものである。
【００５５】
このような構成とされた手動操作弁（三方弁）１１０、１５０は、例えば図７の符号２４０で示される排水用三方弁としても使用できる。また、これら操作弁１１０、１５０は、図１に示された複合弁１の第２弁体３０の駆動部分と置き換えることも可能である。
いずれの場合においても、従来のものに比べてシール材等を削減でき、コストを低減できる効果がある。
【００５６】
さて、前述の説明においては、第１弁体２０、６０は、それぞれ２つの流出口（第１流出口１２及び第２流出口１３）に湯水の流れを切り換えるものとしたが、本発明は特にこれのみに限定されることはなく、３つ以上の流出口に湯水を切り換えるものであっても良いことは当然である。
【００５７】
また、図３に関する説明においては、第１弁体６０及び第２弁体７０は同径及び同長に形成されるものとしたが、本発明は特にこれのみに限定されることはなく、それぞれの外径や長さは異ならせても良い。外形を異ならせる場合には、弁本体４０の内径を、第１弁体６０の収容部と第２弁体７０の収容部とで異ならせれば良い。
【符号の説明】
【００５８】
１、２  複合弁
１０    弁本体
１１    流入口
１２    流出口
１３    流出口
１４    排出口
２０、６０  第１弁体
３０、７０  第２弁体
３５    手動操作レバー
５０ ステッピングモータ（第１弁体駆動手段）
８０    手動操作ハンドル
１００  給湯装置
２１０  ヒートポンプ
２２０  貯湯タンク
２３０  ポンプ
【図１】
0006029325.tif 000002
【図２】
0006029325.tif 000003
【図３】
0006029325.tif 000004
【図４】
0006029325.tif 000005
【図５】
0006029325.tif 000006
【図６】
0006029325.tif 000007
【図７】
0006029325.tif 000008